(57)【要約】運転支援装置１は、車両周辺の情報又は車両の状態に関する情報を取得するセンサ部１３の出力に基づき自動運転を行うものであって、自動運転対応情報２４等に基づいた自動運転判定テーブルＴｊを記憶する。そして、運転支援装置１は、自動運転判定テーブルＴｊを参照し、センサ部１３に関するセンサ情報２３と、所定の道路区間における道路に関する道路エレメント情報Ｉｅとに基づいて、上述の所定の道路区間において実行可能な自動運転機能Ｆｃ及び自動化レベルＬｖの組を判定する。
2016152873.tif 000002
【特許請求の範囲】
【請求項１】
車両周辺の情報又は車両の状態に関する情報を取得する周辺情報取得部に関する第１情報を取得又は記憶する第１取得部と、
所定の区間における、道路に関する第２情報を取得する第２取得部と、
前記第１情報と前記第２情報とに基づいて、自動運転の機能ごとに、前記所定区間において前記車両が実現可能な前記自動運転に関する機能の程度を判定する判定部と、
を備えることを特徴とする自動運転支援装置。
【請求項２】
前記判定部は、前記機能の程度ごとに前記第２情報に関する条件を示したテーブル情報に基づいて、前記判定を行うことを特徴とする請求項１に記載の自動運転支援装置。
【請求項３】
前記判定部は、前記自動運転に関する複数の機能のうち、前記所定区間において前記車両が実現可能な前記自動運転に関する機能の程度を判定することを特徴とする請求項１または２に記載の自動運転支援装置。
【請求項４】
前記周辺情報取得部が取得した周辺情報に基づいて、前記車両の自動運転を行う自動運転制御部を備え、
前記第２情報は、前記自動運転を行うために前記周辺情報取得部により検出される対象物に関する情報であることを特徴とする請求項１〜３のいずれか一項に記載の自動運転支援装置。
【請求項５】
前記周辺情報取得部が取得した周辺情報に基づいて、前記車両の自動運転を行う自動運転制御部を備え、
前記第２取得部は、前記車両の現在位置に対応する区間における前記第２情報を取得し、
前記判定部は、前記現在位置に対応する区間において前記車両が実現可能な自動運転に関する機能の程度の判定を行い、
前記自動運転制御部は、前記判定部による判定結果に基づき、前記現在位置に対応する区間において実行する自動運転の機能及び程度を決定することを特徴とする請求項１〜４のいずれか一項に記載の自動運転支援装置。
【請求項６】
外部入力により指定された目的地までの経路の候補を探索する経路探索部と、
前記経路の候補から推奨経路を選択する推奨経路決定部と、をさらに有し、
前記第２取得部は、前記候補に含まれる各区間に対応する第２情報を取得し、
前記判定部は、前記候補に含まれる各区間において前記車両が実現可能な自動運転に関する機能の程度の判定を行い、
前記推奨経路決定部は、前記判定部による判定結果に基づき、前記推奨経路を選択することを特徴とする請求項１〜５のいずれか一項に記載の自動運転支援装置。
【請求項７】
車両周辺の情報を取得する周辺情報取得部の種類又は性能に関する第１情報を取得又は記憶する第１取得部と、
所定の区間における、道路に関する第２情報を取得する第２取得部と、
前記第１情報と前記第２情報とに基づいて、前記所定区間において前記車両が実現可能な自動運転に関する機能の程度を判定する判定部と、
を備えることを特徴とする自動運転支援装置。
【請求項８】
車両が実施可能な自動運転に関する機能の程度に関する第１情報を取得又は記憶する第１取得部と、
所定の区間における、道路に関する第２情報を取得する第２取得部と、
前記第１情報と前記第２情報とに基づいて、自動運転の機能ごとに、前記所定区間において前記車両が実現可能な前記自動運転に関する機能の程度を判定する判定部と、
を備えることを特徴とする自動運転支援装置。
【請求項９】
自動運転支援装置が実行する制御方法であって、
車両周辺の情報又は車両の状態に関する情報を取得する周辺情報取得部に関する第１情報と、所定の区間における、道路に関する第２情報とに基づいて、自動運転の機能ごとに、前記所定区間において前記車両が実現可能な前記自動運転に関する機能の程度を判定する判定工程
を有することを特徴とする制御方法。
【請求項１０】
コンピュータが実行するプログラムであって、
車両周辺の情報又は車両の状態に関する情報を取得する周辺情報取得部に関する第１情報と、所定の区間における、道路に関する第２情報とに基づいて、自動運転の機能ごとに、前記所定区間において前記車両が実現可能な前記自動運転に関する機能の程度を判定する判定部
として前記コンピュータを機能させることを特徴とするプログラム。
【請求項１１】
請求項１０に記載のプログラムを記憶したことを特徴とする記憶媒体。
【発明の詳細な説明】
【技術分野】
【０００１】
本発明は、自動運転の技術に関する。
【背景技術】
【０００２】
従来から、車両の走行を自動制御する所謂自動運転の技術が知られている。自動運転を実行する場合には、例えば、カメラなどの外界センサを用いて、白線や前方車両などの自車両周辺の情報を認識することや、加速度センサやジャイロ等の内界センサを用いて車両の姿勢や状態を把握する必要がある。特許文献１には、車両に設置されたカメラの画像等に基づいて走行中の車線や静止物標を認識する技術が開示されている。
【先行技術文献】
【特許文献】
【０００３】
【特許文献１】特開２０１４−０９３０１８号公報
【発明の概要】
【発明が解決しようとする課題】
【０００４】
車両自体が自動運転のためのセンサを備えていたとしても、そのセンサの認識の対象となる「対象物」が存在しないような場所、あるいは存在したとしても検出できないような状況においては、そのセンサを活用した、自動運転を実行することができない。例えば、白線等が存在しない道路区間では、白線情報を車両の制御に利用する類の自動運転を実行できない。また、自動運転の機能や程度によって、必要なセンサの種類や精度が異なる。従って、実行可能な自動運転の機能や程度が車両ごとに異なることになる。これらの問題点について、特許文献１は何ら開示していない。【０００５】
本発明は、上記のような課題を解決するためになされたものであり、実行可能な自動運転の機能及び程度を好適に判定することが可能な自動運転支援装置を提供することを主な目的とする。
【課題を解決するための手段】
【０００６】
請求項に記載の発明は、車両周辺の情報又は車両の状態に関する情報を取得する周辺情報取得部に関する第１情報を取得又は記憶する第１取得部と、所定の区間における、道路に関する第２情報を取得する第２取得部と、前記第１情報と前記第２情報とに基づいて、自動運転の機能ごとに、前記所定区間において前記車両が実現可能な前記自動運転に関する機能の程度を判定する判定部と、を備えることを特徴とする。【０００７】
また、請求項に記載の発明は、車両周辺の情報を取得する周辺情報取得部の種類又は性能に関する第１情報を取得又は記憶する第１取得部と、所定の区間における、道路に関する第２情報を取得する第２取得部と、前記第１情報と前記第２情報とに基づいて、前記所定区間において前記車両が実現可能な自動運転に関する機能の程度を判定する判定部と、を備えることを特徴とする。【０００８】
また、請求項に記載の発明は、車両が実施可能な自動運転に関する機能の程度に関する第１情報を取得又は記憶する第１取得部と、所定の区間における、道路に関する第２情報を取得する第２取得部と、前記第１情報と前記第２情報とに基づいて、自動運転の機能ごとに、前記所定区間において前記車両が実現可能な前記自動運転に関する機能の程度を判定する判定部と、を備えることを特徴とする。【０００９】
また、請求項に記載の発明は、自動運転支援装置が実行する制御方法であって、車両周辺の情報又は車両の状態に関する情報を取得する周辺情報取得部に関する第１情報と、所定の区間における、道路に関する第２情報とに基づいて、自動運転の機能ごとに、前記所定区間において前記車両が実現可能な前記自動運転に関する機能の程度を判定する判定工程を有することを特徴とする。【００１０】
また、請求項に記載の発明は、コンピュータが実行するプログラムであって、車両周辺の情報又は車両の状態に関する情報を取得する周辺情報取得部に関する第１情報と、所定の区間における、道路に関する第２情報とに基づいて、自動運転の機能ごとに、前記所定区間において前記車両が実現可能な前記自動運転に関する機能の程度を判定する判定部として前記コンピュータを機能させることを特徴とする。
【図面の簡単な説明】
【００１１】
【図１】自動運転システムの概略構成である。
【図２】運転支援装置のブロック構成を示す。
【図３】走行区間変換テーブル及び自動運転データエレメントテーブルのデータ構造の一例である。
【図４】自動運転判定テーブル及び自動運転データエレメントの具体例を示す。
【図５】経路探索処理のフローチャートである。
【図６】自動運転処理のフローチャートである。
【図７】運転支援装置の表示の一例である。
【図８】経路選択画面の表示例である。
【発明を実施するための形態】
【００１２】
本発明の好適な実施形態によれば、自動運転支援装置は、車両周辺の情報又は車両の状態に関する情報を取得する周辺情報取得部に関する第１情報を取得又は記憶する第１取得部と、所定の区間における、道路に関する第２情報を取得する第２取得部と、前記第１情報と前記第２情報とに基づいて、自動運転の機能ごとに、前記所定区間において前記車両が実現可能な前記自動運転に関する機能の程度を判定する判定部と、を備える。
【００１３】
本発明における「自動運転」とは、どのような環境下においても運転者が全く運転動作に介入しない「完全な自動運転」のみならず、特定の環境・条件が揃った場合にのみ運転者が運転操作を行う必要のない「一時的な自動運転」も含むものとする。また、本発明における「自動運転」とは、運転者が運転操作を行う場合であっても、運転者の運転負荷を軽減したり、車両の走行の安定性を維持するような目的で、運転の一部（例えば、車両の操舵等）を自動で制御するような「部分的な自動運転」（運転支援機能）も含むものとする。自動運転支援装置は、この態様により、周辺情報取得部に関する第１情報と、道路に関する第２情報とに基づき、自動運転の機能ごとに、所定区間において実現可能な自動運転に関する機能の程度を好適に判定することができる。
【００１４】
上記自動運転支援装置の一態様では、前記判定部は、前記機能の程度ごとに前記第２情報に関する条件を示したテーブル情報に基づいて前記判定を行う。自動運転支援装置は、この態様により、所定区間において実現可能な自動運転に関する機能の程度を的確に判定することができる。
【００１５】
上記自動運転支援装置の他の一態様では、前記判定部は、前記自動運転に関する複数の機能のうち、前記所定区間において前記車両が実現可能な前記自動運転に関する機能の程度を判定する。この態様により、自動運転支援装置は、複数の自動運転の機能から、所定区間において実行可能な機能及び程度を好適に判定することができる。
【００１６】
上記自動運転支援装置の他の一態様では、自動運転支援装置は、前記周辺情報取得部が取得した周辺情報に基づいて、前記車両の自動運転を行う自動運転制御部を備え、前記第２情報は、前記自動運転を行うために前記周辺情報取得部により検出される対象物に関する情報である。一般に、自動運転を行うための対象物がない道路では、自動運転を実行することができない。よって、この態様では、自動運転支援装置は、所定区間において実現可能な自動運転に関する機能の程度を好適に判定することができる。
【００１７】
上記自動運転支援装置の他の一態様では、自動運転支援装置は、前記周辺情報取得部が取得した周辺情報に基づいて、前記車両の自動運転を行う自動運転制御部を備え、前記第２取得部は、前記車両の現在位置に対応する区間における前記第２情報を取得し、前記判定部は、前記現在位置に対応する区間において前記車両が実現可能な自動運転に関する機能の程度の判定を行い、前記自動運転制御部は、前記判定部による判定結果に基づき、前記現在位置に対応する区間において実行する自動運転の機能及び程度を決定する。この態様により、自動運転支援装置は、現在車両が走行中の区間において実行可能な自動運転の機能及び程度を判定して自動運転を実行することができる。
【００１８】
本発明の他の好適な実施形態によれば、自動運転支援装置は、車両周辺の情報を取得する周辺情報取得部の種類又は性能に関する第１情報を取得又は記憶する第１取得部と、所定の区間における、道路に関する第２情報を取得する第２取得部と、前記第１情報と前記第２情報とに基づいて、前記所定区間において前記車両が実現可能な自動運転に関する機能の程度を判定する判定部と、を備える。一般に、周辺情報取得部の種類や性能に応じて、実現可能な自動運転の機能及び程度は異なる。よって、この態様では、自動運転支援装置は、第１情報と第２情報とに基づいて、所定区間において実現可能な自動運転に関する機能の程度を好適に判定することができる。
【００１９】
上記自動運転支援装置の他の一態様では、自動運転支援装置は、外部入力により指定された目的地までの経路の候補を探索する経路探索部と、前記経路の候補から推奨経路を選択する推奨経路決定部と、をさらに有し、前記第２取得部は、前記候補に含まれる各区間に対応する第２情報を取得し、前記判定部は、前記候補に含まれる各区間において前記車両が実現可能な自動運転に関する機能の程度の判定を行い、前記推奨経路決定部は、前記判定部による判定結果に基づき、前記推奨経路を選択する。この態様により、自動運転支援装置は、各区間における自動運転の各機能の程度を考慮して推奨経路を好適に選択することができる。
【００２０】
本発明の他の好適な実施形態によれば、自動運転支援装置は、車両が実施可能な自動運転に関する機能の程度に関する第１情報を取得又は記憶する第１取得部と、所定の区間における、道路に関する第２情報を取得する第２取得部と、前記第１情報と前記第２情報とに基づいて、自動運転の機能ごとに、前記所定区間において前記車両が実現可能な前記自動運転に関する機能の程度を判定する判定部と、を備える。自動運転支援装置は、この態様により、車両が実施可能な自動運転に関する機能の程度を勘案し、自動運転の機能ごとに、所定区間において車両が実現可能な自動運転に関する機能の程度を好適に判定することができる。
【００２１】
本発明の他の好適な実施形態によれば、自動運転支援装置が実行する制御方法であって、車両周辺の情報又は車両の状態に関する情報を取得する周辺情報取得部に関する第１情報と、所定の区間における、道路に関する第２情報とに基づいて、自動運転の機能ごとに、前記所定区間において前記車両が実現可能な前記自動運転に関する機能の程度を判定する判定工程を有する。自動運転支援装置は、この制御方法を実行することで、自動運転の機能ごとに、所定区間において実現可能な自動運転に関する機能の程度を好適に判定することができる。
【００２２】
本発明の他の好適な実施形態によれば、コンピュータが実行するプログラムであって、車両周辺の情報又は車両の状態に関する情報を取得する周辺情報取得部に関する第１情報と、所定の区間における、道路に関する第２情報とに基づいて、自動運転の機能ごとに、前記所定区間において前記車両が実現可能な前記自動運転に関する機能の程度を判定する判定部として前記コンピュータを機能させる。コンピュータは、このプログラムを実行することで、自動運転の機能ごとに、所定区間において実現可能な自動運転に関する機能の程度を好適に判定することができる。好適には、上記プログラムは、記憶媒体に記憶される。
【実施例】
【００２３】
以下、図面を参照して本発明の好適な実施例について説明する。【００２４】
［自動運転システムの概要］
図１は、本実施例に係る自動運転システムの概略構成である。自動運転システムは、各車両と共に移動する運転支援装置１と、各運転支援装置１とネットワーク９を介して通信を行うサーバ装置２とを備える。そして、自動運転システムは、自動運転に関する各機能の実行可否を考慮した経路探索や、走行中の道路状況に応じた自動運転を好適に運転支援装置１に実行させる。【００２５】
運転支援装置１は、据置型の運転支援装置又はスマートフォンなどの携帯端末であって、自車位置が属するエリアに応じて、当該エリアの地図データ「Ｄ１」をサーバ装置２の配信地図ＤＢ２１から取得し、部分地図ＤＢ２０として記憶する。そして、運転支援装置１は、部分地図ＤＢ２０を参照し、ユーザが設定した目的地への経路探索や、設定された経路に基づく案内等を行う。【００２６】
また、運転支援装置１は、カメラなどから構成されるセンサ１３の出力に基づき、一部又は全部の運転操作を半自動又は全自動で行う自動運転を行う。ここで、運転支援装置１は、自動化する運転機能（「自動運転機能Ｆｃ」とも呼ぶ。）ごとに分けて自動運転の実行可否を判定する。各自動運転機能Ｆｃには、自動化の程度に応じたレベル（「自動化レベルＬｖ」とも呼ぶ。）が規定されており、運転支援装置１は、各自動運転機能Ｆｃについて、実行可能な自動化レベルＬｖを判定し、判定結果に基づき自動運転や経路探索を行う。運転支援装置１は、本発明における「自動運転支援装置」の一例である。【００２７】
なお、自動運転機能Ｆｃは、例えば、レーンキープ機能（ＬＫＡ：Ｌａｎｅ  Ｋｅｅｐｉｎｇ  Ａｓｓｉｓｔ）、自動操舵機能、速度調整機能などを含む。自動化レベルＬｖは、例えば、警告や通知のみを行う場合をレベル１、所定の条件のときに該当の機能に関する運転が一時的に自動化する場合をレベル２、該当の機能に関する運転が全自動となる場合をレベル３、というようにレベルが高いほど高機能となる。【００２８】
サーバ装置２は、配信地図ＤＢ２１を記憶し、運転支援装置１からの要求に応じて、要求元の運転支援装置１が存在するエリアに対応する地図データＤ１を配信地図ＤＢ２１から抽出して送信する。【００２９】
［ブロック構成］
図２は、運転支援装置１の機能的構成を表すブロック図を示す。図２に示すように、運転支援装置１は、主に、通信部１１と、記憶部１２と、センサ部１３と、入力部１４と、制御部１５と、出力部１６とを有する。【００３０】
通信部１１は、制御部１５の制御に基づき、サーバ装置２から地図データＤ１を取得し、取得した地図データＤ１を部分地図ＤＢ２０に登録する。この場合、地図データを取得する通信部１１は、例えば、部分地図ＤＢ２０に地図データが登録されていないエリアに進入予定の場合、又は近付いた場合に、当該エリアを指定する情報をサーバ装置２へ送信することで、上述のエリアの地図データＤ１を取得する。また、通信部１１は、制御部１５の制御に基づき、天候情報を配信するサーバ装置等から天候情報を取得する。【００３１】
記憶部１２は、制御部１５が実行するプログラムや、制御部１５が所定の処理を実行するのに必要な情報を記憶する。本実施例では、記憶部１２は、自動運転データエレメントテーブルＴｅを含む部分地図ＤＢ２０と、センサ情報２３と、自動運転対応情報２４と、道路区間変換テーブルＴｃと、自動運転判定テーブルＴｊとを記憶する。【００３２】
センサ情報２３は、センサ部１３の各センサの種類や性能を表す情報である。センサ情報２３は、例えば、センサ部１７の各センサの識別情報であるハードウェアＩＤと、当該ハードウェアＩＤが示すセンサの種類情報及び性能情報とが関連付けられた情報である。センサ情報２３は、本発明における「第１情報」の一例である。自動運転対応情報２４は、運転支援装置１を搭載する車両が対応している自動運転機能Ｆｃ及びその自動化レベルＬｖを示す情報である。自動運転対応情報２４は、後述する自動運転判定テーブルＴｊに組み込まれている。自動運転対応情報２４は、本発明における「第１情報」の一例である。【００３３】
自動運転データエレメントテーブルＴｅは、道路区間ごとに実行可能な各自動運転機能Ｆｃの自動化レベルＬｖを判定するために必要な道路に関する情報（「道路エレメント情報Ｉｅ」とも呼ぶ。）が登録されたテーブルである。上述の道路区間は、任意に道路を区切った単位区間を示し、例えば、地図データ上での道路を表すリンクに対応してもよい。道路区間変換テーブルＴｃは、各道路区間及び車線に対応する緯度経度の範囲を規定したテーブルである。また、自動運転判定テーブルＴｊは、自動運転の判定対象の道路区間に対応する道路エレメント情報Ｉｅ及びセンサ情報２３に基づき、実行可能な各自動運転機能Ｆｃの自動化レベルＬｖを判定するためのテーブルである。自動運転データエレメントテーブルＴｅ、道路区間変換テーブルＴｃ、及び自動運転判定テーブルＴｊのデータ構造については後述する。記憶部１２は、本発明における「第１取得部」の一例である。【００３４】
センサ部１３は、車両の状態を検出する内界センサ及び車両の周辺環境を認識するための外界センサから構成され、カメラ３１と、ライダ（ＬＩＤＡＲ：Ｌａｓｅｒ  Ｉｌｌｕｍｉｎａｔｅｄ  Ｄｅｔｅｃｔｉｏｎ  Ａｎｄ  Ｒａｎｇｉｎｇ）（又は／及びレーダ）３２と、ＧＰＳ受信機３３と、加速度センサ３４と、速度センサ３５などを含む。カメラ３１は、外界の状況を表す色付きの画像を生成する。ライダ３２は、外界に存在する物体までの距離を離散的に測定し、当該物体の位置を３次元の点群として認識する。ＧＰＳ受信機３３は、現在の車両の位置を表す緯度及び経度の位置情報を生成する。加速度センサ３４は、車両の加速度を検出する。速度センサ３５は、車両の速度を検出する。なお、センサ部１３は、車両の姿勢（向きなど）を認識して他のセンサの取得データを補正するための慣性計測装置（ＩＭＵ：Ｉｎｅｒｔｉａｌ  Ｍｅａｓｕｒｅｍｅｎｔ  Ｕｎｉｔ）やジャイロセンサなどを備えてもよい。また、センサ部１３は、雨滴センサ（レインセンサ）や霧センサなどの天候状態を測定するセンサを含んでもよい。この場合、制御部１５は、通信部１１から取得する天候情報に加えて、又はこれに代えて、センサ部１３の出力に基づき現在の天候状態を判定し、天候情報を生成する。センサ部１３は、本発明における「周辺情報取得部」の一例である。【００３５】
入力部１４は、ユーザが操作するためのボタン、タッチパネル、リモートコントローラ、音声入力装置等であり、経路探索のための目的地を指定する入力、自動運転のオン及びオフを指定する入力などを受け付ける。また、入力部１４は、乗車した人物の運転能力に関する情報（例えば、運転免許の有無、運転スキル等）を受け付けても良い。また、入力部１４が受け付けた情報は、制御部１５の制御に基づき、記憶部１２に記憶させるようにしてもよい。なお、制御部１５は、入力部１４へのユーザ入力に基づき運転能力に関する情報を取得する代わりに、認証手段により運転手の個人認証を行い、認証されたユーザに紐付けられた運転能力に関する情報を電子的に取得してもよい。この場合、例えば、制御部１５は、生体認証又は個人ＩＣカード等の読み取り等により運転手を特定するＩＤ等を取得し、運転操作履歴情報や免許取得情報等の個人と紐付けられた情報を管理するサーバ装置に対し、生体認証等により取得したＩＤを指定した要求信号を通信部１１により送信する。そして、制御部１５は、上述のサーバ装置から、要求信号において指定したＩＤに対応する運転者の運転能力に関する情報等を、通信部１１により受信する。このように、制御部１５は、運転能力に関する情報を電子的に取得してもよい。【００３６】
制御部１５は、プログラムを実行するＣＰＵなどを含み、運転支援装置１の全体を制御する。本実施例では、制御部１５は、各道路区間での実行可能な自動運転機能Ｆｃの自動化レベルＬｖを考慮した推奨経路を検索する処理（「経路検索処理」とも呼ぶ。）を実行する。また、制御部１５は、車両が走行中の道路区間で実行可能な自動運転機能Ｆｃの自動化レベルＬｖを認識して当該自動化レベルＬｖに応じた自動運転を行う処理（「自動運転処理」とも呼ぶ。）を実行する。制御部１５は、経路探索部５１と、候補経路内区間指定部５２と、走行区間判定部５３と、道路エレメント情報抽出部５４と、自動運転機能判定部５５と、推奨経路特定部５６と、自動運転制御部５７とを有する。【００３７】
経路探索部５１は、入力部１４により目的地が入力された場合に、現在位置から目的地への案内経路の候補（「候補経路」とも呼ぶ。）を検索する。この場合、例えば、経路探索部５１は、自動運転に関する条件以外の条件に基づき、複数の候補経路を検索する。候補経路内区間指定部５２は、経路探索部５１が検索した候補経路に属する各道路区間を認識し、認識した道路区間の識別情報を、道路エレメント情報抽出部５４に供給する。【００３８】
走行区間判定部５３は、センサ部１３の出力、及び部分地図ＤＢ２０等の情報に基づき認識した現在位置を示す情報（「現在位置情報」とも呼ぶ）から、車両が現在走行中の道路区間（「走行区間」とも呼ぶ。）及び車線（「走行車線」とも呼ぶ。）を認識する。そして、走行区間判定部５３は、認識した走行区間及び走行車線の情報を道路エレメント情報抽出部５４に供給する。【００３９】
道路エレメント情報抽出部５４は、自動運転データエレメントテーブルＴｅを参照し、候補経路内区間指定部５２が指定した各候補経路の道路区間に対応する道路エレメント情報Ｉｅ等を抽出する。同様に、道路エレメント情報抽出部５４は、走行区間判定部５３から走行区間及び走行車線を指定する情報を受信した場合、指定された走行区間及び走行車線に対応する道路エレメント情報Ｉｅ等を、自動運転データエレメントテーブルＴｅから抽出する。そして、道路エレメント情報抽出部５４は、抽出した道路エレメント情報Ｉｅの情報等を自動運転機能判定部５５へ送信する。道路エレメント情報抽出部５４は、本発明における「第２取得部」の一例であり、道路エレメント情報Ｉｅは、本発明における「第２情報」の一例である。【００４０】
自動運転機能判定部５５は、自動運転判定テーブルＴｊを参照し、道路エレメント情報抽出部５４から受信した道路エレメント情報Ｉｅと、センサ情報２３が示すセンサの種類とに基づき、候補経路の各道路区間又は走行区間で実行可能な自動運転機能Ｆｃ及び自動化レベルＬｖの組を判定する。また、自動運転機能判定部５５は、候補経路の各道路区間又は走行区間で実行可能な自動運転機能Ｆｃ又は所定の自動運転機能Ｆｃの自動化レベルＬｖの少なくとも一方だけを判定するようにしてもよい。また、自動運転機能判定部５５は、自動運転判定テーブルＴｊおよび、道路エレメント情報抽出部５４から受信した道路エレメント情報Ｉｅのデータ構造によっては、候補経路の各道路区間又は走行区間に対応する車線ごとに（すなわち車線単位で）、実行可能な自動運転機能Ｆｃ及び自動化レベルＬｖの組を判定するようにしてもよい。また、自動運転機能判定部５５は、該当する候補経路の各道路区間また走行区間における天候を示す天候情報に更に考慮して、実行可能な自動運転機能Ｆｃ及び自動化レベルＬｖの組を判定するようにしてもよい。この場合、例えば、天候が悪いと予測される場合については、天候が良いと予測される場合と比べて、自動化レベルＬｖが低くなるように判定するようにしてもよい。これは、一般的に、悪天候の場合は、自動運転に用いられるセンサ等の検出精度が低下すること等に起因して、天気が良い場合に比べて自動運転が困難となることが予想されるためである。また、自動運転機能判定部５５は、該当する候補経路の各道路区間また走行区間が自動運転車両専用レーンである場合は、該当する候補経路の各道路区間また走行区間が自動運転車両専用レーンでない場合に比べて、自動化レベルＬｖが高くなるように判定するようにしてもよい。【００４１】
また、自動運転機能判定部５５は、入力部１４によって、搭乗者（運転車）の運転能力に関する情報を受け付けた場合、当該運転能力に関する情報を更に考慮して、実行可能な自動運転機能Ｆｃ及び自動化レベルＬｖの組を判定するようにしてもよい。例えば、搭乗者の運転能力が低い場合は、自動化レベルＬｖがレベル３以下の制御を禁止し、自動化レベルＬｖがレベル４の制御のみを実行させるようにしても良い。
そして、自動運転機能判定部５５は、候補経路の各道路区間での実行可能な自動運転機能Ｆｃ及び自動化レベルＬｖに関する判定結果を、推奨経路特定部５６へ供給する。また、自動運転機能判定部５５は、走行区間での各自動運転機能Ｆｃの実行可能な自動化レベルＬｖの判定結果を、自動運転制御部５７へ供給する。自動運転機能判定部５５は、本発明における「判定部」の一例である。【００４２】
推奨経路特定部５６は、自動運転機能判定部５５による候補経路の各道路区間での自動化レベルＬｖの判定結果に基づき、ユーザに提示する推奨経路を決定する。この場合、推奨経路特定部５６は、例えば、各候補経路のうち、実行可能な自動運転機能Ｆｃの平均数が最も多い候補経路を、推奨経路に設定してもよい。他の例では、推奨経路特定部５６は、各候補経路のうち、ユーザが入力部１４により指定した自動運転機能Ｆｃの自動化レベルＬｖの平均が最も高い候補経路を、推奨経路に設定してもよい。そして、推奨経路特定部５６は、設定した推奨経路の情報を、出力部１６に表示させる。【００４３】
自動運転制御部５７は、設定された経路に基づき、センサ部１３の出力情報を利用して車両の自動運転を行う。本実施例では、自動運転制御部５７は、自動運転機能判定部５５による判定結果に基づき、現在の走行区間で実行可能な自動運転機能Ｆｃ及び対応する自動化レベルＬｖを決定する。そして、推奨経路特定部５６は、例えば、実行可能な自動運転機能Ｆｃを、実行可能な自動化レベルＬｖのうち最も高いレベルにより実行する。【００４４】
出力部１６は、例えば、ディスプレイやスピーカ等であり、設定された目的地までの経路の案内に必要な情報を出力する。また、出力部１６は、推奨経路特定部５６が特定した推奨経路を表示する。そして、出力部１６が表示した推奨経路により案内を開始する旨の入力が入力部１４へなされた場合、運転支援装置１は、推奨経路により自動運転を開始する。【００４５】
［データ構造］
図３（Ａ）は、道路区間変換テーブルＴｃのデータ構造の一例を示す。図３（Ａ）に示す道路区間変換テーブルＴｃでは、現在位置情報と、当該現在位置情報が示す位置に存在する道路区間を表す道路区間情報と、上記現在位置情報が示す位置に存在する車線を表す車線情報とが少なくとも関連付けられている。走行区間判定部５３は、図３（Ａ）に示す道路区間変換テーブルＴｃを参照することで、センサ部１３、及び部分地図ＤＢ２０等から取得した現在位置を示す現在位置情報に基づき、車両が存在する走行区間及び走行車線を認識する。【００４６】
図３（Ｂ）は、自動運転データエレメントテーブルＴｅのデータ構造の一例を示す。図３（Ｂ）に示す自動運転データエレメントテーブルＴｅでは、道路区間情報と、車線情報と、道路エレメント情報Ｉｅと、後述する道路属性情報とが少なくとも関連付けられている。ここで、道路属性情報は、対応する道路区間における道路の状態を示す情報であり、例えば、道路区間における高低差、平均バンク角、路面状態（砂利道又は舗装道路等）などの情報を含む。道路エレメント情報抽出部５４は、図３（Ｂ）に示す自動運転データエレメントテーブルＴｅを参照することで、候補経路内区間指定部５２又は走行区間判定部５３で指定された道路区間に対応する道路エレメント情報Ｉｅ及び道路属性情報等を抽出する。【００４７】
図３（Ｃ）は、ある道路区間に関連付けられた道路エレメント情報Ｉｅのデータ構造の一例を示す。図３（Ｃ）に示す道路エレメント情報Ｉｅは、自動運転の可否に利用する道路情報の分類を示す「カテゴリー」の項目と、各カテゴリーをさらに分類した「サブカテゴリー」の項目と、サブカテゴリーが示す情報又は対象物の有無を示す「有無」の項目と、サブカテゴリーが示す情報又は対象物の詳細情報を示す「属性情報」の項目とを有する。なお、説明便宜上、図３（Ｃ）に示す「属性情報」の項目の一部には、属性情報に登録され得る情報の種別が例示されているが、実際には例示された種別を特定する具体的な情報が登録される。【００４８】
図３（Ｃ）の例では、カテゴリー「ペイント情報」に対し、４つのサブカテゴリー「センターライン」、「路肩ライン」、「文字・図形・矢印」、「横断歩道」が存在し、対象となる道路区間では、センターライン及び路肩ラインが存在する。そして、この場合、道路エレメント情報Ｉｅには、対象となる道路区間に存在するセンターライン及び路肩ラインに対応する属性情報として、色、線種、幅等の情報が含まれる。同様に、カテゴリー「車線情報」には、７つのサブカテゴリーが存在し、そのうち、対象となる道路区間では、車線数の情報のみが存在する。この場合、道路エレメント情報Ｉｅには、サブカテゴリー「車線数」の属性情報として、車線数の情報が含まれる。
また、カテゴリー「ランドマーク情報」には、４つのサブカテゴリーが存在し、そのうち、対象となる道路区間では、電柱及び道路標識が存在する。この場合、道路エレメント情報Ｉｅには、サブカテゴリー「電柱」に対応する属性情報として、電柱の位置、高さ、幅、平均間隔等が含まれており、サブカテゴリー「道路標識」に対応する属性情報として、道路標識の種類を示す情報が含まれる。なお、図３（Ｃ）における「センターライン」、「路肩ライン」、「文字・図形・矢印」、「横断歩道」、「電柱」、「ガードレール」、「道路標識」、「信号」は、本発明における「対象物」の一例である。【００４９】
図４（Ａ）は、自動運転判定テーブルＴｊのデータ構造の一例を示す。図４（Ａ）に示す自動運転判定テーブルＴｊでは、自動運転機能Ｆｃの自動化レベルＬｖごとに、「車種対応」、「使用センサ」、及び「適用条件」の各項目が関連付けられている。ここで、「車種対応」の項目は、自動運転対応情報２４に基づき生成された項目であり、運転支援装置１を搭載する車両の自動運転機能Ｆｃ及び自動化レベルＬｖの各組への対応の有無を示す。また、「使用センサ」の項目は、対応する自動運転機能Ｆｃ及び自動化レベルＬｖの組を実行する場合に使用するセンサを示す。「適用条件」の項目は、対応する自動運転機能Ｆｃ及び自動化レベルＬｖの組を実行するのに必要な道路エレメント情報Ｉｅに関する条件を示す。図４（Ａ）の「適用条件」の項目では、説明便宜上、道路エレメント情報Ｉｅに関する条件がアルファベット（ここではＡ〜Ｄ）により抽象化して表されている。また、図４（Ａ）では、自動運転機能Ｆｃとして、自動化レベルＬｖが３段階存在する機能αと自動化レベルＬｖが２段階存在する機能βとが規定されており、この例においては、運転支援装置１の車両は、機能αの全レベル及び機能βのレベル２に対応している事を示す。【００５０】
ここで、図４（Ａ）に示す自動運転判定テーブルＴｊを参照して自動運転機能判定部５５が各自動運転機能Ｆｃの自動化レベルＬｖの実行可否を判定する具体例について説明する。図４（Ｂ）は、図４（Ａ）と同様に道路エレメント情報Ｉｅを抽象化した自動運転データエレメントテーブルＴｅを示す。図４（Ｂ）の例では、道路エレメント情報ＩｅのサブカテゴリーがＡ〜Ｄの４つ存在するものとし、サブカテゴリーごとの対応の有無（即ち図３（Ｃ）の項目「有無」の情報）を「○」または「×」により表している。【００５１】
例えば、道路区間アの車線１を対象とする場合、自動運転機能判定部５５は、自動運転データエレメントテーブルＴｅを参照し、道路エレメント情報Ｉｅのうち、各サブカテゴリーＡ、Ｂ、Ｄが存在し、サブカテゴリーＣが存在しないことを認識する。よって、自動運転機能判定部５５は、図４（Ａ）の自動運転判定テーブルＴｊを参照し、機能αのレベル１、２と、機能βのレベル１が適用条件を満たすと判定する。また、自動運転機能判定部５５は、センサ部１３がカメラ３１及びライダ３２を有することをセンサ情報２３から認識し、機能αのレベル１、２及び機能βのレベル１を実行可能なセンサを車両が有していると判断する。一方、自動運転機能判定部５５は、車両が機能βのレベル１に対応していないことから、機能βのレベル１については実行できないと判断する。従って、自動運転機能判定部５５は、道路区間アの車線１では、機能αのレベル１及び２が実行可能であると判断する。よって、道路区間アの車線１の走行時には、自動運転制御部５７は、例えば、自動化の程度が高い機能αのレベル２を実行する。【００５２】
他の例として、道路区間アの車線２を対象とする場合、自動運転機能判定部５５は、自動運転データエレメントテーブルＴｅを参照し、道路エレメント情報Ｉｅのうち、各サブカテゴリーＡ、Ｄが存在し、サブカテゴリーＢ、Ｃが存在しないことを認識する。よって、自動運転機能判定部５５は、図４（Ａ）の自動運転判定テーブルＴｊを参照し、機能αのレベル１と、機能βのレベル１が適用条件を満たすと判定する。また、自動運転機能判定部５５は、センサ部１３としてカメラ３１及びライダ３２を有することから、機能αのレベル１及び機能βのレベル１を実行可能なセンサを有していると判断する。一方、自動運転機能判定部５５は、車両が機能βのレベル１に対応していないことから、機能βのレベル１については実行できないと判断する。従って、自動運転機能判定部５５は、道路区間アの車線１では、機能αのレベル１が実行可能であると判断する。よって、道路区間アの車線１の走行時には、自動運転制御部５７は、機能αのレベル１を実行する。【００５３】
なお、候補経路の各道路区間の自動運転機能の可否を判定する場合には、車線が指定されずに道路区間のみが指定される。この場合、例えば、自動運転機能判定部５５は、候補経路の各道路区間内で通行可能な車線から任意の車線を、対象の候補経路を利用する場合に通過する車線とみなして推奨経路を決定してもよい。他の例では、自動運転機能判定部５５は、対象となる道路区間内で通行可能な車線のうち最も利用可能な自動運転機能Ｆｃが多い車線又は利用可能な自動運転機能Ｆｃの自動化レベルＬｖが高い車線を、対象の候補経路を利用する場合に通過する車線とみなして推奨経路を選択してもよい。【００５４】
［処理フロー］
（１）経路探索処理
図５は、運転支援装置１が実行する経路探索処理の手順を示すフローチャートである。【００５５】
まず、運転支援装置１は、目的地を指定する入力を入力部１４により受け付ける（ステップＳ１０１）。そして、運転支援装置１の経路探索部５１は、入力された目的地までの候補経路を探索する（ステップＳ１０２）。この場合、経路探索部５１は、例えば、自動運転の可否に関する条件以外の一般的条件（例えば、距離、料金等）を勘案して、所定個数分の候補経路を探索する。そして、道路エレメント情報抽出部５４は、経路探索部５１が探索した候補経路の各道路区間に対応する道路エレメント情報Ｉｅを、自動運転データエレメントテーブルＴｅから抽出することで取得する（ステップＳ１０３）。【００５６】
次に、自動運転機能判定部５５は、道路エレメント情報抽出部５４が取得した道路エレメント情報Ｉｅと、センサ情報２３と、記憶部１２が記憶する自動運転判定テーブルＴｊとを参照し、候補経路の各道路区間で実行可能な自動運転機能Ｆｃ及び自動化レベルＬｖの組を認識する（ステップＳ１０４）。【００５７】
そして、推奨経路特定部５６は、ステップＳ１０４での判定結果に基づき、ユーザに提示すべき推奨経路を候補経路から選定し、当該推奨経路を出力部１６によりユーザに提示する（ステップＳ１０５）。この場合、例えば、推奨経路特定部５６は、実行可能な自動運転機能Ｆｃが多い又は実行する自動運転機能Ｆｃの自動化レベルＬｖが高い道路区間からなる候補経路を推奨経路として選定する。その後、運転支援装置１は、ユーザ入力に基づき、推奨経路を目的地までの案内経路として設定し、当該案内経路に基づき自動運転を開始する。これにより、運転支援装置１は、ユーザの運転操作の負担が少ない経路を優先的に案内することができる。【００５８】
（２）自動運転処理
図６は、運転支援装置１が実行する自動運転処理の手順を示すフローチャートである。【００５９】
まず、走行区間判定部５３は、センサ部１３と、部分地図ＤＢ２０等によって得られた現在位置情報から、道路区間変換テーブルＴｃを参照して、車両が走行中の走行区間及び走行車線を認識する（ステップＳ２０１）。そして、道路エレメント情報抽出部５４は、ステップＳ２０１で特定された走行区間及び車線に対応する道路エレメント情報Ｉｅを、自動運転データエレメントテーブルＴｅから抽出することで取得する（ステップＳ２０２）。【００６０】
次に、自動運転機能判定部５５は、道路エレメント情報抽出部５４が取得した道路エレメント情報Ｉｅと、センサ情報２３と、記憶部１２が記憶する自動運転判定テーブルＴｊとを参照し、現在走行中の走行区間及び車線で実行可能な自動運転機能Ｆｃ及び自動化レベルＬｖの組を認識する（ステップＳ２０３）。そして、自動運転制御部５７は、ステップＳ２０３で実行可能と判定された自動運転機能Ｆｃを、実行可能な自動化レベルＬｖにより実行することで、自動運転を行う（ステップＳ２０４）。この場合、自動運転制御部５７は、例えば、実行可能な自動運転機能Ｆｃの自動化レベルＬｖが複数ある場合には、最も高い自動化レベルＬｖにより当該自動運転機能Ｆｃを実行するとよい。【００６１】
以上説明したように、本実施例に係る運転支援装置１は、車両周辺の情報又は車両の状態に関する情報を取得するセンサ部１３の出力に基づき自動運転を行うものであって、自動運転対応情報２４等に基づいた自動運転判定テーブルＴｊを記憶する。そして、運転支援装置１は、自動運転判定テーブルＴｊを参照し、センサ部１３に関するセンサ情報２３と、所定の道路区間における道路に関する道路エレメント情報Ｉｅとに基づいて、上述の所定の道路区間において車両が実現可能な自動運転機能Ｆｃ及び自動化レベルＬｖの組を判定する。このようにすることで、運転支援装置１は、車両が実現可能な自動運転機能Ｆｃ及び自動化レベルＬｖの組を道路区間ごとに好適に認識することができる。【００６２】
［表示例］
次に、実施例における運転支援装置１の表示例について説明する。図７は、案内経路の決定後における運転支援装置１の表示の一例である。【００６３】
図７の表示例において、上述した経路探索処理のＳ１０１にて受け付けた目的地が地点Ｇであり、経路探索における出発地点（現在位置又は出発地点として指定された地点等）がＳである。【００６４】
また、Ｓ１０５にて決定された推奨経路が、道路Ｌ１、Ｌ２、Ｌ３、Ｌ４であることを示している。また、図７は、自動運転機能Ｆｃが機能αである場合について、各道路にて車両が実行可能な自動化レベルＬｖを示している。また、制御部１５は、推奨経路を構成する道路Ｌ１〜Ｌ４においては、それぞれの道路で実行可能な自動化レベルＬｖに対応した表示態様で表示するようにしている。図７では、道路Ｌ１及び道路Ｌ４での実行可能な自動化レベルＬｖがレベル１、道路Ｌ３での実行可能な自動化レベルＬｖがレベル２、道路Ｌ２での実行可能な自動化レベルＬｖがレベル３となっており、制御部１５は、実行可能な自動化レベルＬｖが高いほど、濃い色にて推奨経路を構成する各道路Ｌ１〜Ｌ４を表示するようにしている。なお、このほか、制御部１５は、自動化レベルＬｖに応じて推奨経路を構成する道路又は車線の色を変えてもよい。すなわち、制御部１５は、地図上にて、推奨経路を構成する道路又は車線のそれぞれの自動化レベルＬｖを観察者が視認できるように明示してもよい。【００６５】
また、図７では、制御部１５は、推奨経路を構成する各道路Ｌ１〜Ｌ４の各々に関連付けて、実行可能な自動化レベルＬｖをテキストにて吹きだし６１〜６４により表示するようにしている。また、それに加え、制御部１５は、右下にて各色（濃さ）がどの自動化レベルＬｖに対応しているのかを示すエリア６８を設けている。制御部１５は、上記吹きだし６１〜６４又はエリア６８を同時に表示してもよいし、何れか一方を表示するようにしてもよい。【００６６】
また、制御部１５は、利用者の操作にて、実行可能な自動化レベルＬｖを表示すべき自動運転機能Ｆｃを切り替えられるようにしてもよい。図７の例では、制御部１５は、現在設定されている自動運転機能Ｆｃ（図７では機能α）を表示する表示欄６６と、設定する自動運転機能Ｆｃを選択するためのボタン６７とを有するセレクトボックス６５を表示させている。この場合、例えば、図７のボタン６７をユーザが選択することで、制御部１５は、対応する他の自動運転機能Ｆｃに切り替える。そして、制御部１５は、切り替えられた自動運転機能Ｆｃに応じて推奨経路を構成する各道路Ｌ１〜Ｌ４の自動化レベルＬｖの表示も連動して切り替える。【００６７】
［変形例］
次に、実施例に好適な変形例について説明する。以下の変形例は、任意に組み合わせて上述の実施例に適用してもよい。【００６８】
（変形例１）
図２のブロック構成は、一例であり、本発明が適用可能なブロック構成は、これに限定されない。例えば、サーバ装置２は、運転支援装置１に代えて、実行可能な自動運転機能Ｆｃ及び自動化レベルＬｖの組の判定を行ってもよい。【００６９】
この場合、サーバ装置２は、自動運転データエレメントテーブルＴｅと、自動運転機能Ｆｃ及び自動化レベルＬｖの組ごとに道路エレメント情報Ｉｅに関する条件を規定した自動運転判定テーブルＴｊとを予め記憶する。また、サーバ装置２は、運転支援装置１からセンサ情報２３及び自動運転対応情報２４を受信する。そして、サーバ装置２は、運転支援装置１から目的地を指定した経路探索要求を受信した場合、候補経路を探索する。そして、サーバ装置２は、各候補経路の道路区間を対象に、受信したセンサ情報２３及び自動運転対応情報２４と、対象の道路区間に対応する道路エレメント情報Ｉｅと、自動運転判定テーブルＴｊとに基づき、対象の道路区間で実行可能な自動運転機能Ｆｃ及び自動化レベルＬｖの組を判定する。そして、サーバ装置２は、上述の判定結果に基づき、実施例の推奨経路特定部５６と同様の処理を行うことで、推奨経路を決定し、決定した推奨経路の情報を、経路探索の要求元の運転支援装置１へ送信する。この場合、運転支援装置１は、サーバ装置２から受信した情報に基づき、推奨経路を表示する。【００７０】
また、車両の走行時には、サーバ装置２は、運転支援装置１から現在位置を示す位置情報を受信し、当該現在位置に対応する道路区間及び車線で運転支援装置１を搭載する車両が実行可能な自動運転機能Ｆｃ及び自動化レベルＬｖを判定する。そして、サーバ装置２は、実行可能な自動運転機能Ｆｃ及び自動化レベルＬｖの情報を運転支援装置１へ送信する。この場合、運転支援装置１は、サーバ装置２から受信した情報に基づき、実行可能な自動運転機能Ｆｃを、実行可能な自動化レベルＬｖにより実行する。【００７１】
なお、本変形例では、サーバ装置２は、本発明における「自動運転支援装置」として機能し、サーバ装置２のＣＰＵなどは、本発明における「第１取得部」、「第２取得部」、「判定部」及び本発明におけるプログラムを実行するコンピュータとして機能する。【００７２】
本変形例におけるサーバ装置２の処理を、複数のサーバ装置からなるサーバシステムが実行してもよい。この場合、各サーバは、予め割り当てられた処理を実行するのに必要な情報を他のサーバから適宜受信して所定の処理を実行する。この場合、サーバシステムは、本発明における「自動運転支援装置」の一例である。【００７３】
（変形例２）
運転支援装置１は、部分地図ＤＢ２０とは別に自動運転データエレメントテーブルＴｅを取得及び保持してもよい。この場合、運転支援装置１は、例えば、全ての道路区間に対応する自動運転データエレメントテーブルＴｅを予め記憶しておいてもよく、サーバ装置２から地図データＤ１を取得するタイミングとは異なるタイミングで自動運転データエレメントテーブルＴｅをサーバ装置２から取得してもよい。【００７４】
（変形例３）
図４（Ａ）に示す自動運転判定テーブルＴｊは、自動運転機能Ｆｃの各自動化レベルＬｖの実行に必要なセンサの種類を、「使用センサ」の項目で規定していた。これに加え、自動運転判定テーブルＴｊは、自動運転機能Ｆｃの各自動化レベルＬｖの実行に必要なセンサの性能をさらに規定してもよい。【００７５】
この場合、自動運転判定テーブルＴｊは、「使用センサ」の項目で指定されるセンサごとに、必要な性能情報を規定する項目を有する。例えば、項目「使用センサ」にカメラが登録されている場合、性能情報を規定する項目には、必要なカメラの性能（例えば画素数や画角等）の情報が記録される。そして、運転支援装置１の自動運転機能判定部５５は、自動運転機能Ｆｃの実行可否判定を行う場合、センサ情報２３に含まれる各センサ部１３の性能情報に基づき、実行可能な自動運転機能Ｆｃ及び自動化レベルＬｖの組を判定する。【００７６】
（変形例４）
運転支援装置１は、各候補経路の道路区間ごとに実行可能な自動運転機能Ｆｃが識別できるように、各候補経路を道路区間ごとに表示態様を変えて表示してもよい。さらに、運転支援装置１は、実行可能な自動化レベルＬｖが識別できるように、実行可能な自動化レベルＬｖごとにさらに表示態様を変えてもよい。この場合、運転支援装置１は、実行可能な自動化レベルＬｖが複数存在する場合には、例えば、その中で最も高いレベルに標準を合わせて表示態様を決定する。そして、運転支援装置１は、表示した各候補経路からユーザが選択した１つの候補経路を、案内経路として設定し、経路案内を開始する。【００７７】
（変形例５）
運転支援装置１は、配信地図ＤＢ２１の一部に相当する地図データＤ１を受信する代わりに、配信地図ＤＢ２１の全データをサーバ装置２から受信して記憶してもよい。この場合、運転支援装置１は、所定の時点における配信地図ＤＢ２１を予め記憶しておき、更新に必要なデータのみをサーバ装置２から受信してもよい。この場合、運転支援装置１は、所定の時間間隔ごとに、記憶した地図データの更新の要否の問合せをサーバ装置２に対して行い、更新に必要なデータをサーバ装置２から適宜ダウンロードする。【００７８】
（変形例６）
自動運転機能判定部５５は、センサ情報２３を参照してセンサ部１３が備えるセンサの種類等を認識する代わりに、センサ部１３と通信を行うことで、センサ部１３が備えるセンサの種類等の情報を取得してもよい。【００７９】
（変形例７）
実施例では、自動運転対応情報２４が「車種対応」の項目として自動運転判定テーブルＴｊに組み込まれていた。これに代えて、自動運転判定テーブルＴｊに自動運転対応情報２４が組み込まれていなくともよい。この場合、運転支援装置１は、自動運転対応情報２４を参照し、運転支援装置１を搭載する車両が対応可能な自動運転機能Ｆｃ及び自動化レベルＬｖの組を認識する。【００８０】
また、自動運転判定テーブルＴｊは、「車種対応」及び「使用センサ」の項目を有しなくともよい。即ち、自動運転判定テーブルＴｊでは、車両が対応しない自動運転機能Ｆｃ及び自動化レベルＬｖの組、及び、センサ部１３が有しないセンサを必要とする自動運転機能Ｆｃ及び自動化レベルＬｖの組が予め除外されていてもよい。この場合、自動運転判定テーブルＴｊは、センサ情報２３及び自動運転対応情報２４に基づいて生成され、道路エレメント情報Ｉｅのみに依存して実行可否が変わる自動運転機能Ｆｃ及び自動化レベルＬｖの組の適用条件を規定する。【００８１】
（変形例８）
制御部１５は、図５のステップＳ１０５において、実行可能な自動運転機能Ｆｃ及び自動化レベルＬｖの組に基づき設定した自動運転レベルごとに推奨経路を探索し、自動運転レベルごとの推奨経路から案内経路として設定する推奨経路をユーザに選択させてもよい。【００８２】
図８は、図５のステップＳ１０５で表示させる経路選択画面の表示例を示す。図８の表示例において、図７と同様に、上述した経路探索処理のＳ１０１にて受け付けた目的地が地点Ｇであり、経路探索における出発地点（現在位置又は出発地点として指定された地点等）がＳである。図８の例では、制御部１５は、自動運転レベルが「高」、「中」、「低」のそれぞれに対応する推奨経路１〜３を探索し、推奨経路１〜３を地図上に表示すると共に、各推奨経路１〜３の走行距離等の詳細説明をウィンドウ６９上に表示させている。そして、制御部１５は、推奨経路１〜３のいずれかがタッチパネル等の入力部１４への操作により選択されたことを検知した場合、選択された推奨経路を案内経路として設定する。【００８３】
ここで、図８の例では、制御部１５は、自動運転機能Ｆｃの機能αをレベル「Ｚ」により走行可能な道路区間から構成される候補経路を自動運転レベルが「高」の候補経路、機能αをレベル「Ｘ」（Ｚ＞Ｘ）により走行可能な道路区間から構成される候補経路を自動運転レベルが「中」の候補経路、自動運転機能Ｆｃの機能βをレベルＸにより走行可能な道路区間から構成される候補経路を自動運転レベルが「低」の候補経路とみなしている。なお、制御部１５は、各自動運転レベルを認定するための要件となる自動運転機能Ｆｃ及び自動化レベルＬｖの組を示すテーブル等を予め記憶し、当該テーブルを参照して各候補経路の自動運転レベルを判定してもよい。そして、制御部１５は、自動運転レベルが「高」の候補経路のうち所要時間や走行距離等の他の条件を勘案して最も推奨される候補経路を推奨経路１として選定する。同様に、制御部１５は、自動運転レベルが「中」の候補経路から推奨経路２を選定し、自動運転レベルが「低」の候補経路から推奨経路３を選定し、選定した推奨経路１〜３を選択可能に画面上に表示させる。【００８４】
なお、制御部１５は、経路選択画面で複数の推奨経路を表示させる場合、ユーザが重視する条件が良い推奨経路を優先して表示させてもよい。例えば、制御部１５は、自動運転レベルを優先する旨の設定又は入力があった場合には、図８の表示例のように、自動運転レベル「高」の走行距離「２０１ｋｍ」の経路を推奨経路１として最上位に表示し、自動運転レベル「中」の走行距離「１８０ｋｍ」の経路を推奨経路２、自動運転レベル「低」の走行距離「１６０ｋｍ」の経路を推奨経路３として表示する。他の例では、制御部１５は、走行距離を優先する旨の設定又は入力があった場合には、走行経路が短い順に推奨経路を表示させる。この場合、図８の表示例に代えて、制御部１５は、自動運転レベル「低」の走行距離「１６０ｋｍ」の経路を推奨経路１として最上位に表示し、自動運転レベル「中」の走行距離「１８０ｋｍ」の経路を推奨経路２、自動運転レベル「高」の走行距離「２０１ｋｍ」の経路を推奨経路３として表示する。【００８５】
（変形例９）
制御部１５は、図５のステップＳ１０５において推奨経路を決定する場合、ユーザが指定した自動運転機能Ｆｃ及び自動化レベルＬｖの組を常に実行可能な経路を推奨経路として探索してもよい。【００８６】
この場合、例えば、制御部１５は、ステップＳ１０１において、目的地を指定する入力と共に、所望の自動運転機能Ｆｃ及び自動化レベルＬｖの組を指定する入力を受け付ける。そして、制御部１５は、ステップＳ１０４で各候補経路の各道路区間で実行可能な自動運転機能Ｆｃ及び自動化レベルＬｖの組を認識後、ユーザ入力により指定された自動運転機能Ｆｃ及び自動化レベルＬｖの組を実行可能な道路区間からなる候補経路を、推奨経路として選定する。なお、制御部１５は、ユーザ入力により指定された自動運転機能Ｆｃ及び自動化レベルＬｖの組を実行可能な道路区間からなる候補経路が複数存在する場合には、（変形例８）と同様に経路選択画面を表示させ、該当する複数の候補経路から１つの経路を案内経路としてユーザに選択させるとよい。
【符号の説明】
【００８７】
１  運転支援装置
２  サーバ装置
９  ネットワーク
１１  通信部
１２  記憶部
１３  センサ部
１４  入力部
１５  制御部
１６  出力部
【図１】
2016152873.tif 000003
【図２】
2016152873.tif 000004
【図３】
2016152873.tif 000005
【図４】
2016152873.tif 000006
【図５】
2016152873.tif 000007
【図６】
2016152873.tif 000008
【図７】
2016152873.tif 000009
【図８】
2016152873.tif 000010
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
車両周辺の情報を取得する周辺情報取得部に関する第１情報を取得又は記憶する第１取得部と、
道路に関する第２情報を取得する第２取得部と、
前記第１情報と前記第２情報とに基づいて、前記車両が実現可能な自動運転に関する機能の程度を判定する判定部と、
を備えることを特徴とする自動運転支援装置。
【請求項２】
前記判定部は、前記機能の程度ごとに前記第２情報に関する条件を示したテーブル情報に基づいて、前記判定を行うことを特徴とする請求項１に記載の自動運転支援装置。
【請求項３】
前記周辺情報取得部が取得した周辺情報に基づいて、前記車両の自動運転を行う自動運転制御部を備え、
前記第２情報は、前記自動運転を行うために前記周辺情報取得部により検出される対象物に関する情報であることを特徴とする請求項１又は２に記載の自動運転支援装置。
【請求項４】
前記周辺情報取得部が取得した周辺情報に基づいて、前記車両の自動運転を行う自動運転制御部を備え、
前記第２取得部は、前記車両の現在位置に対応する区間における前記第２情報を取得し、
前記判定部は、前記現在位置に対応する区間において前記車両が実現可能な自動運転に関する機能の程度の判定を行い、
前記自動運転制御部は、前記判定部による判定結果に基づき、前記現在位置に対応する区間において実行する自動運転の機能及び程度を決定することを特徴とする請求項１〜３のいずれか一項に記載の自動運転支援装置。
【請求項５】
指定された目的地までの経路の候補を探索する経路探索部と、
前記経路の候補から推奨経路を選択する推奨経路決定部と、をさらに有し、
前記第２取得部は、前記候補に含まれる各区間に対応する第２情報を取得し、
前記判定部は、前記候補に含まれる各区間において前記車両が実現可能な自動運転に関する機能の程度の判定を行い、
前記推奨経路決定部は、前記判定部による判定結果に基づき、前記推奨経路を選択することを特徴とする請求項１〜４のいずれか一項に記載の自動運転支援装置。
【請求項６】
車両周辺の情報を取得する周辺情報取得部の種類又は性能を表す第１情報を取得又は記憶する第１取得部と、
道路に関する第２情報を取得する第２取得部と、
前記第１情報と前記第２情報とに基づいて、前記車両が実現可能な自動運転に関する機能の程度を判定する判定部と、
を備えることを特徴とする自動運転支援装置。
【請求項７】
車両が実施可能な自動運転に関する複数の機能の程度に関する第１情報を取得又は記憶する第１取得部と、
道路に関する第２情報を取得する第２取得部と、
前記第１情報と前記第２情報とに基づいて、自動運転の機能ごとに、前記車両が実現可能な前記自動運転に関する機能の程度を判定する判定部と、
を備えることを特徴とする自動運転支援装置。
【請求項８】
自動運転支援装置が実行する制御方法であって、
車両周辺の情報を取得する周辺情報取得部に関する第１情報と、道路に関する第２情報とに基づいて、前記車両が実現可能な前記自動運転に関する機能の程度を判定する判定工程を有することを特徴とする制御方法。
【請求項９】
コンピュータが実行するプログラムであって、
車両周辺の情報を取得する周辺情報取得部に関する第１情報と、道路に関する第２情報とに基づいて、前記車両が実現可能な前記自動運転に関する機能の程度を判定する判定部として前記コンピュータを機能させることを特徴とするプログラム。
【請求項１０】
請求項９に記載のプログラムを記憶したことを特徴とする記憶媒体。
【手続補正２】
【補正対象書類名】明細書
【補正対象項目名】０００６
【補正方法】変更
【補正の内容】
【０００６】
請求項に記載の発明は、自動運転支援装置であって、車両周辺の情報を取得する周辺情報取得部に関する第１情報を取得又は記憶する第１取得部と、道路に関する第２情報を取得する第２取得部と、前記第１情報と前記第２情報とに基づいて、前記車両が実現可能な自動運転に関する機能の程度を判定する判定部と、を備えることを特徴とする。
【手続補正３】
【補正対象書類名】明細書
【補正対象項目名】０００７
【補正方法】変更
【補正の内容】
【０００７】
また、請求項に記載の発明は、自動運転支援装置であって、車両周辺の情報を取得する周辺情報取得部の種類又は性能を表す第１情報を取得又は記憶する第１取得部と、道路に関する第２情報を取得する第２取得部と、前記第１情報と前記第２情報とに基づいて、前記車両が実現可能な自動運転に関する機能の程度を判定する判定部と、を備えることを特徴とする。
【手続補正４】
【補正対象書類名】明細書
【補正対象項目名】０００８
【補正方法】変更
【補正の内容】
【０００８】
また、請求項に記載の発明は、自動運転支援装置であって、車両が実施可能な自動運転に関する複数の機能の程度に関する第１情報を取得又は記憶する第１取得部と、道路に関する第２情報を取得する第２取得部と、前記第１情報と前記第２情報とに基づいて、自動運転の機能ごとに、前記車両が実現可能な前記自動運転に関する機能の程度を判定する判定部と、を備えることを特徴とする。
【手続補正５】
【補正対象書類名】明細書
【補正対象項目名】０００９
【補正方法】変更
【補正の内容】
【０００９】
また、請求項に記載の発明は、自動運転支援装置が実行する制御方法であって、車両周辺の情報を取得する周辺情報取得部に関する第１情報と、道路に関する第２情報とに基づいて、前記車両が実現可能な前記自動運転に関する機能の程度を判定する判定工程を有することを特徴とする。
【手続補正６】
【補正対象書類名】明細書
【補正対象項目名】００１０
【補正方法】変更
【補正の内容】
【００１０】
また、請求項に記載の発明は、コンピュータが実行するプログラムであって、車両周辺の情報を取得する周辺情報取得部に関する第１情報と、道路に関する第２情報とに基づいて、前記車両が実現可能な前記自動運転に関する機能の程度を判定する判定部として前記コンピュータを機能させることを特徴とする。
【国際調査報告】
2016152873.tif 000011
2016152873.tif 000012
2016152873.tif 000013
2016152873.tif 000014